(57)【特許請求の範囲】
【請求項１】
室内に設置された燃焼機器と、
この燃焼機器の排ガスを大気中に強制的に排気する排気ダクトと、
この排気ダクトに接続されて前記燃焼機器の排ガスを収集して排気ダクトに導く第１の排気フードと、
前記燃焼機器の排気トップに接続されて前記第１の排気フードに前記排ガスを導く第２の排気フードとを備え、
前記第２の排気フードは、前記排気トップの直上部以外の位置に通気孔を有して前記排気トップを囲い込む筐体部と、この筐体部の上方の離間した位置に設置されて前記通気孔側を覆う傾斜面を有する遮蔽部とを備え、前記排ガスを前記筐体部の前記通気孔を通して前記第１の排気フードに導くとともに、前記排気トップ側への油滴等の落下物を前記遮蔽部で遮断することを特徴とする燃焼排気装置。
【請求項２】
請求項１記載の燃焼排気装置において、
前記遮蔽部は、上面側遮蔽板と下面側遮蔽板とを備え、前記上面側遮蔽板と前記下面側遮蔽板との間に通気部を備えることを特徴とする燃焼排気装置。
【請求項３】
請求項１記載の燃焼排気装置において、
前記排気ダクトに設置されて排ガスを外部に排出させる換気扇と、
前記換気扇の動作を検知する検知手段と、
前記検知手段が前記換気扇の動作を検知し、前記換気扇が動作している場合に前記燃焼機器を燃焼可能に制御する制御手段と、
を備えたことを特徴とする燃焼排気装置。
【発明の詳細な説明】
【０００１】
【発明の属する技術分野】
本発明は、燃焼機器の排ガスを室内のレンジフードを通じて排気させる燃焼排気装置に関する。
【０００２】
【従来の技術】
各種燃焼装置の排ガスは燃焼機器の排気トップに煙道を設けることにより個別に排気させるのが原則である。しかしながら、一般家庭や多くの厨房において、燃焼機器の排ガスはレンジフードを通じて行われている場合がある。
【０００３】
【発明が解決しようとする課題】
レンジフードを媒介とした排気は、換気扇による強制換気が行われる限り問題はないが、レンジフードに付着している油滴等が排気トップ側に落下した場合、汚れや油滴の発火等を防止しなければならないという課題がある。
【０００４】
そこで、本発明は、レンジフード等を取り付けた排気ダクトの兼用によって安全性の高い排気を実現した燃焼排気装置を提供することを目的とする。
【０００５】
【課題を解決するための手段】
本発明の燃焼排気装置は、図１〜図４に例示するように、室内の排気空間を構成する第１の排気フード（レンジフード８）に対して燃焼機器（給湯器６）側に第２の排気フード（１６）を取り付け、燃焼機器側の排気トップ（１４）を油滴等の落下物から防護しつつ、効果的な簡易な排気を実現している。
【０００６】
即ち、本発明の燃焼排気装置は、室内に設置された燃焼機器（給湯器６）と、この燃焼機器の排ガスを大気中に強制的に排気する排気ダクト（１０）と、この排気ダクトに接続されて前記燃焼機器の排ガスを収集して排気ダクトに導く第１の排気フード（レンジフード８）と、前記燃焼機器の排気トップ（１４）に接続されて前記第１の排気フードに前記排ガスを導く第２の排気フード（１６）とを備え、前記第２の排気フードは、前記排気トップの直上部以外の位置に通気孔を有して前記排気トップを囲い込む筐体部と、この筐体部の上方の離間した位置に設置されて前記通気孔側を覆う傾斜面を有する遮蔽部とを備え、前記排ガスを前記筐体部の前記通気孔を通して前記第１の排気フードに導くとともに、前記排気トップ側への油滴等の落下物を前記遮蔽部で遮断する構成である。
また、この燃焼排気装置において、前記遮蔽部は、上面側遮蔽板と下面側遮蔽板とを備え、前記上面側遮蔽板と前記下面側遮蔽板との間に通気部を備える構成としてもよい。
【０００７】
このように構成したことにより、第１の排気フードでは、上記燃焼機器の他、他の燃焼機器の排ガスや湯気等の排気が行われ、上記燃焼機器の排ガスは第２の排気フードから第１の排気フードに排気される。したがって、燃焼機器の排ガスの排気ルートは既存の排気ダクトを利用でき、排気設備の簡略化が図られる。第１の排気フードの内面に付着した水滴や油滴等の落下は、第２の排気フードで受け止められ、燃焼機器の排気トップ側への落下が防止されるので、安全性の高い排気が実現できる。
【０００９】
また、このような構成としたことにより、燃焼機器の排気トップは筐体手段によって囲い込まれるとともに、遮蔽手段により、油滴等の落下物から防護される。したがって、排ガスは油滴等の落下物から遮断された状態で排気されるので、安全性の高い排気が実現できる。
【００１０】
この燃焼排気装置において、前記排気ダクトに設置されて排ガスを外部に排出させる換気扇（１２）と、前記換気扇の動作を検知する検知手段と、前記検知手段が前記換気扇の動作を検知し、前記換気扇が動作している場合に前記燃焼機器を燃焼可能に制御する制御手段とを備えた構成としてもよい。このような構成としたことにより、排気ダクト側の強制排気が可能な状態で燃焼機器を動作させることができ、室内に排ガスが充満することがない。
【００１１】
【発明の実施の形態】
以下、本発明を図面に示した実施形態を参照して詳細に説明する。
【００１２】
図１〜図４は、本発明の燃焼排気装置の一実施形態を示し、図１及び図２は厨房に設置された燃焼機器の配置図を示している。
【００１３】
調理台２には、燃焼機器であるコンロ４が設置され、その背面側の壁面には燃焼機器である給湯器６が設置されている。そして、調理台２の上方には、調理台２の面積を覆う排気空間を有する第１の排気フードとしてレンジフード８が設置され、このレンジフード８には排気ダクト１０が接続され、その内部には換気扇１２が設置されている。レンジフード８は、コンロ４又は給湯器６側で生じた湯気や排ガスを室外の大気中に放出する排気空間を構成している。換気扇１２の駆動は換気センサ１３によって検知され、その検知出力はコンロ４や給湯器６の制御部１５に加えられており、換気扇１２が動作しているとき、コンロ４や給湯器６の燃焼が可能である。換気センサ１３は、換気扇１２のモータ電流を直接検出し、又は、換気扇１２の排気状態を間接的に検出するようにしてもよい。また、制御部１５は、コンロ４又は給湯器６の各燃焼制御部と一体に構成してもよいし、別構成の何れでもよい。
【００１４】
そして、給湯器６の上部には、その排気トップ１４を包囲する形態で第２の排気フード１６が取り付けられている。即ち、排気トップ１４はレンジフード８側からの油滴等の落下物から防護されるとともに、給湯器６の排ガスがこの排気フード１６を通してレンジフード８に排気される。
【００１５】
次に、図３及び図４は第２の排気フード１６の具体的な構成例を示している。この排気フード１６は、筐体手段として排気トップ１４を包囲する形態の筐体部１８を備えるとともに遮蔽手段である遮蔽部２０を備えている。遮蔽板２０は、筐体部１８の背面部に立設した支持部材である背面支持板２２を以て筐体部１８の上面側を覆う形態で取り付けられている。
【００１６】
筐体部１８は、排ガスが持つ熱によって劣化しない程度の耐熱性材料、例えば、金属板を以て形成され、この実施形態では、ステンレス板を以て矩形の筐体を成し、排気トップ１４を包囲する閉塞空間を構成している。
【００１７】
この筐体部１８の天板２４には、排気トップ１４の直上部分を避ける変位した位置に複数の通気孔２６が形成され、筐体部１８の閉塞空間をレンジフード８側に開放している。この筐体部１８の内部には、ねじ等の固定手段を以て中間支持板２８が取り付けられており、この中間支持板２８の中央部には、排気トップ１４を挿入するための貫通孔３０が形成されている。この貫通孔３０には、排気トップ１４が挿入されており、パッキン３２を以て貫通孔３０と排気トップ１４との間の隙間が閉塞されている。
【００１８】
この筐体部１８に遮蔽部２０を取り付ける背面支持板２２は、筐体部１８と同様にステンレス板で形成されており、横方向の機械的強度を高めるために、両辺部を前方に折り曲げて袖部３４を形成している。この袖部３４は排ガスの整流板としての機能を有する。
【００１９】
そして、遮蔽部２０は後方に傾斜しており、上面側遮蔽板３６と下面側遮蔽板３８とを有する角筒体を構成し、上面側遮蔽板３６と下面側遮蔽板３８との間には、通気部４０が形成されている。即ち、通気部４０は、空気層を成している。
【００２０】
以上のように構成したので、給湯器６の燃焼により排気トップ１４から出た排ガスＧは、排気フード１６の筐体部１８内に充満し、排気トップ１４より変位している通気孔２６から出て遮蔽部２０の下面側遮蔽板３８に至る。換気扇１２の換気能力が高い場合にも、排気フード１６の天板２４の閉塞面が排気トップ１４の上面にあり、その通気孔２６が変位していることから、排ガスの移動ルートが屈曲しており、天板２４及び通気孔２６が緩衝効果を有する。下面側遮蔽板３８は、前方に拡開する傾斜面を成しているので、その傾斜面に沿って上昇し、レンジフード８の排気空間に至る。そして、排ガスは換気扇１２の回転により、排気ダクト１０を通じて大気中に放出される。このような排ガスのルート形成は、局所的な過熱を防止することができる。
【００２１】
また、遮蔽部２０の通気部４０は、下面側遮蔽板３８と上面側遮蔽板３６との熱的絶縁ないし空気による冷却効果を有しており、実験によれば、上面側遮蔽板３６の温度を８０度以下に抑えることができる。このため、レンジフード８側から油滴等の落下物の過熱を防止できる。また、構造的にその落下物から排気トップ１４を防護することができることは言うまでもない。さらに、矢印Ｄで示すように、油滴等の落下物は、遮蔽部２０の傾斜面に沿って筐体部１８の背面側に導くことができる。
【００２２】
【発明の効果】
以上説明したように、本発明によれば、次のような効果が得られる。
ａ．複数の燃焼機器に対して個別に排気ダクトを設置する必要がなく、簡易な排気を実現できる。
ｂ．燃焼機器の排気トップを油滴等の落下物から防護することができ、安全性の高い排気が実現できる。
ｃ．排気ダクトを通じて第１の排気フード側の強制排気が可能な状態、即ち、換気扇が動作しているとき、燃焼機器の燃焼が可能であるので、排ガスが室内に充満することがなく、安全性の高い排気が実現できる。
【図面の簡単な説明】
【図１】本発明の燃焼排気装置の一実施形態を示す正面図である。
【図２】本発明の燃焼排気装置の一実施形態を示す側面図である。
【図３】本発明の燃焼排気装置の一実施形態を示す斜視図である。
【図４】本発明の燃焼排気装置の一実施形態を示す縦断面図である。
【符号の説明】
６  給湯器（燃焼機器）
８  レンジフード（第１の排気フード）
１０  排気ダクト
１４  排気トップ
１６  第２の排気フード
１８  筐体部（筐体手段）
２０  遮蔽部（遮蔽手段）
【図１】
0003781856.tif 000002
【図２】
0003781856.tif 000003
【図３】
0003781856.tif 000004
【図４】
0003781856.tif 000005